(57)【要約】【課題】  回転可能な表示装置において、挿着／抜き取り可能な外付け部品類の取付位置が大きな制約を受けず、回転力、及び制動力が大きく設定できるようにする。【解決手段】  抵抗歯車２９が円弧状部材２１の内周の歯列に噛み合っているとき（Ｓ７１）、リモコン１５が操作されると（Ｓ７２）、コントローラは抵抗歯車２９と上記歯列との噛み合わせを解除させる制御信号を出力する。第２のアーム６１が回動軸５９を介して反時計方向へ回動し上記噛み合わせが解除される（Ｓ７３）。モータ３５に制御信号を出力し表示画面部５を回転動作させる（Ｓ７４）。リモコン１５が操作されると（Ｓ７２）、リモコン１５の操作が解除されたか否かチェックし解除されたときには（Ｓ７５）、モータ３５を停止制御し表示画面部５の回転動作を停止させる（Ｓ７６）。再び抵抗歯車２９による上記噛み合わせを復活させる（Ｓ７１）。【選択図】        図４
2006337661.tif 000002
【特許請求の範囲】
【請求項１】
基台に、表示画面部が回転可能に支持される表示装置において、
入力した制御信号に基づき、前記表示画面部を回転させるための駆動部と、
前記駆動部による前記表示画面部の回転動作を禁止するための禁止機構と、
前記装置が操作されているかどうかを判別する判別部と、
を備え、
前記判別部が、前記装置が操作されていないと判別した場合には、前記禁止機構を介して前記駆動部による前記表示画面部の回転動作を禁止し、前記装置の操作が開始されたと判別した場合には、前記禁止を解除するようにした表示装置。
【請求項２】
請求項１記載の表示装置において、
前記駆動部が、
電動機と、
前記電動機からの回転力を、前記表示画面部を回転可能に軸支する支持軸に伝達するための回転力伝達機構と、
を含む表示装置。
【請求項３】
請求項１又は請求項２記載の表示装置において、
前記禁止機構が、前記回転力伝達機構に設けられる、前記基台に固定された歯列に噛み合うことにより前記回転力伝達機構の回転動作を抑止する抵抗歯車を含む表示装置。
【請求項４】
請求項１又は請求項２記載の表示装置において、
前記禁止機構が、前記基台に固定された、前記回転力伝達機構を構成する回転体の少なくとも１つと摺接することにより、前記回転力伝達機構の回転動作を抑止するディスクブレーキ機構である表示装置。
【請求項５】
請求項１記載の表示装置において、
前記装置の操作が、リモートコントローラを通じて行われる表示装置。
【請求項６】
請求項２記載の表示装置において、
前記電動機、及び前記回転力伝達機構を構成する複数の回転体が、正／逆回転自在に構成されている表示装置。
【請求項７】
請求項１記載の表示装置において、
前記表示画面部が、薄型の液晶パネルディスプレイ、又はプラズマディスプレイパネルであり、
前記表示画面部の回転角度が、所定の角度範囲内に制限されている表示装置。
【発明の詳細な説明】
【技術分野】
【０００１】
本発明は、基台に、表示画面部が回転可能に支持される表示装置に関する。
【背景技術】
【０００２】
従来、リモートコントローラ（以下、「リモコン」と略記する。）のボタンを押すことにより、操作対象をリモコンを操作している人の方向へ回転移動させることが可能な回転機構付き電子機器が提案されている。この提案に係る回転機構付き電子機器には、リモコンに発光部が備えられ、電子機器本体に、リモコンの発光部から発光されたリモコン信号の受光部と、受光部で受けた信号光の受光量を検知する検知部と、検知部が検知した受光量などから回転角度を求める演算部と、演算部からの出力に応じて、軸を中心に回転する回転機構と、が備えられる（例えば特許文献１参照）。
【０００３】
【特許文献１】特開2001−285755号公報
【発明の開示】
【発明が解決しようとする課題】
【０００４】
上述した提案に係わる回転機構付き電子機器のような、リモコンを用いて電動で画面の向きを自由に変更可能なスイーベル機構を持つ自立スタンドを採用した薄型表示装置は極めて便利である。そのため、リモコンを操作することにより、薄型表示装置の画面の向きを頻繁に変更するユーザも多い。
【０００５】
しかし、回転中に、周囲の壁面等に衝突することによって薄型表示装置が転倒したり、周囲に置かれている種々の物体に衝突してそれらをなぎ倒すことにより、それら種々の物体に損傷を与えたり、薄型表示装置が破損したりする虞があるので、薄型表示装置の回転力、及び回転を制止させるための制動力を小さく設定する必要がある。そのため、或る程度の大きさの操作力を必要とする各種のスイッチ類や、例えば外付けのハードディスクのような外部記録デバイス等の、薄型表示装置に対して挿着／抜き取りが可能な装置を薄型表示装置に一体的に搭載した場合に、上記スイッチ類の操作や外部記録デバイスの挿着／抜き取り操作に起因して薄型表示装置が回転してしまわないように、薄型表示装置における上記スイッチ類や上記外部記録デバイスの取付位置を決める必要が生じる。
【０００６】
このように、従来の薄型表示装置においては、薄型表示装置における上記スイッチ類や上記外部記録デバイスの取付位置が、大きな制約を受けていた。
【０００７】
従って本発明の目的は、表示画面が回転可能に構成された表示装置において、各種スイッチ類の取付位置や、挿着／抜き取りが可能な外付けの部品類の取付位置が大きな制約を受けることが無く、且つ、回転力、及び回転を制止させるための制動力を大きく設定することができるようにすることにある。
【課題を解決するための手段】
【０００８】
本発明に従う表示装置は、基台に、表示画面部が回転可能に支持されるもので、入力した制御信号に基づき、上記表示画面部を回転させるための駆動部と、上記駆動部による上記表示画面部の回転動作を禁止するための禁止機構と、上記装置が操作されているかどうかを判別する判別部と、を備え、上記判別部が、上記装置が操作されていないと判別した場合には、上記禁止機構を介して上記駆動部による上記表示画面部の回転動作を禁止し、上記装置の操作が開始されたと判別した場合には、上記禁止を解除するようにした。
【０００９】
本発明に係る好適な実施形態では、上記駆動部が、電動機と、上記電動機からの回転力を、上記表示画面部を回転可能に軸支する支持軸に伝達するための回転力伝達機構と、を含む。
【００１０】
上記とは別の実施形態では、上記禁止機構が、上記回転力伝達機構に設けられる、上記基台に固定された歯列に噛み合うことにより上記回転力伝達機構の回転動作を抑止する抵抗歯車を含む。
【００１１】
また、上記とは別の実施形態では、上記禁止機構が、上記基台に固定された、上記回転力伝達機構を構成する回転体の少なくとも１つと摺接することにより、上記回転力伝達機構の回転動作を抑止するディスクブレーキ機構である。
【００１２】
また、上記とは別の実施形態では、上記装置の操作が、リモートコントローラを通じて行われる。
【００１３】
また、上記とは別の実施形態では、上記電動機、及び上記回転力伝達機構を構成する複数の回転体が、正／逆回転自在に構成されている。
【００１４】
更に、上記とは別の実施形態では、上記表示画面部が、薄型の液晶パネルディスプレイ、又はプラズマディスプレイパネルであり、上記表示画面部の回転角度が、所定の角度範囲内に制限されている。
【発明の効果】
【００１５】
本発明によれば、表示画面が回転可能に構成された表示装置において、各種スイッチ類の取付位置や、挿着／抜き取りが可能な外付けの部品類の取付位置が大きな制約を受けることが無く、且つ、回転力、及び回転を制止させるための制動力を大きく設定することができるようになる。
【発明を実施するための最良の形態】
【００１６】
以下、本発明の実施の形態を、図面により詳細に説明する。
【００１７】
図１は、本発明の一実施形態に係る表示装置の全体構成を示す斜視図である。
【００１８】
上記表示装置は、図１に示すように、略矩形状を呈する基台１と、基台１の略中央部に、後に詳述する回転力伝達機構３により太線矢印で示すように、正／逆回転自在に支持される表示画面部５と、を備える。基台１は、例えば卓上スタンド仕様になっており、互いに対向関係にある１対の長辺は、共に内側に緩やかに湾曲している。基台１の肉厚は、全体としては薄く設定されており、４隅から中心部に向かうにつれて徐々に肉厚が厚みを増すように構成されている。
【００１９】
表示画面部５は、全体として横長の矩形状を呈した奥行きの短い立体形状、即ち、薄型に形成されている。表示画面部５は、横長の矩形状を呈する外枠７と、外枠７内に嵌め込まれた、例えばプラズマディスプレイパネル、又は液晶パネルディスプレイ等から成る表示画面９と、を備える。外枠７の前面下端部の左端側には、上記表示装置を操作するための各種スイッチ類１１が、取り付けられている。また、外枠７の前面下端部の右端側には、例えば（外付けの）外部記録デバイス（図示しない）等の挿着／抜き取りが可能な前面入力端子１３が、取り付けられている。
【００２０】
図２は、図１に記載した表示装置と、該表示装置を遠隔操作するためのリモコンとを示す説明図である。
【００２１】
図２において、ユーザ（図示しない）がリモコン１５に備えられるボタン群１７の中から所望のボタンを押圧操作すると、該押圧操作に基づく（超音波での）表示画面部制御信号が、例えばリモコン１５に内蔵されている超音波送信部（図示しない）から送信される。上記表示画面部制御信号は、例えば表示装置１００の基台１に内蔵されているコントローラ（図示しない）の超音波受信部（図示しない）によって受信される。これにより、コントローラ（図示しない）は、上記表示画面部制御信号に基づき、例えば表示画面部５を初期位置からＸ°だけ逆回転（即ち、反時計方向へ回転）させるべく、回転力伝達機構３に回転力を出力するモータ（図３において、符号３５で示す）に駆動指令信号を出力する。
【００２２】
コントローラ（図示しない）は、モータ（３５）を駆動停止している間は、ブレーキ機構（図３において、符号２７で示す。ブレーキ機構２７については、図３で詳述する。）に制御信号を出力する。これにより、コントローラ（図示しない）は、ブレーキ機構（２７）を通じて回転力伝達機構３が、モータ（３５）からの回転力以外の外力によって回転するのを阻止する。ブレーキ機構（２７）が回転力伝達機構３の回転を阻止しているとき、超音波受信部（図示しない）がリモコン１５から表示画面部制御信号を受信したことを認識すると、コントローラ（図示しない）は、ブレーキ機構（２７）に制御信号を出力して、ブレーキ機構（２７）による回転力伝達機構３の回転阻止を解除させる。
【００２３】
図３は、本発明の一実施形態に係る表示装置が備える回転力伝達機構３の詳細な構成を示す基台１の平面図である。
【００２４】
図３に示すように、本発明の一実施形態に係る表示装置では、回転力伝達機構３は、基台１の略中央部に形成された円形状の凹部１ａ内に配置されている。回転力伝達機構３は、図３に示すように、外側円環状部材１７と、内側円環状部材１９と、円弧状部材２１と、回転移動機構２３と、制御基板２５と、ブレーキ機構２７と、を備える。回転力伝達機構３において、回転移動機構２３、及びブレーキ機構２７を除いた残りの部材（即ち、外側円環状部材１７、内側円環状部材１９、円弧状部材２１、及び制御基板２５）は、何れも上記円形状の凹部１ａ内に固定されている。
【００２５】
外側円環状部材１７は、回転力伝達機構３を構成する他の各部材を覆うためのもので、略等間隔で複数個のローラ（１７１〜１７ｎ）が配置されている。外側円環状部材１７の内周側には、部分的に肉厚が厚く設定され、外側円環状部材１７の内径より僅かに小さい外径を持った内側円環状部材１９が密着した状態で配置されている。外側円環状部材１７の内周側の、内側円環状部材１９の肉厚が厚く設定された部位に対応する部位には、後述する内ば歯車（５１）と噛み合う歯列が外側円環状部材１７の内周に沿って形成されている。
【００２６】
円弧状部材２１の内周側の、ブレーキ機構２７が備える抵抗歯車２９が当接可能な部位に、抵抗歯車２９と噛み合う歯列が円弧状部材２１の内周に沿って形成されている。
【００２７】
制御基板２５上には、上述したコントローラ（例えばマイクロコンピュータ）や、超音波受信部等が搭載されている。制御基板２５には、一端側が例えばモニタ（図示しない）との接続コネクタ３１に接続されている（平型）ケーブル３３の他端側が接続されている。上記に加えて、制御基板２５には、一端側が後に詳述するモータ３５に夫々接続されているモータ制御信号線３７、３９の他端側と、一端側がブレーキ機構２７に接続されているブレーキ機構制御信号線４１の他端側とが、夫々接続されている。
【００２８】
モータ制御信号線３７、３９、及びブレーキ機構制御信号線４１には、回転移動機構２３（を構成する支持部材４３）の、内側円環状部材１９、及び円弧状部材２１によって画定される空間内での回転移動を勘案して、フレキシブルな材質の信号線路が採用されている。
【００２９】
コントローラ（図示しない）は、ケーブル３３、及び接続コネクタ３１を通じてモニタ（図示しない）との間で相互に必要とする情報の授受を行う。コントローラ（図示しない）は、また、モータ制御信号線３７、３９を通じてモータ３５を駆動／停止するためのモータ制御信号をモータ３５に、ブレーキ機構制御信号線４１を通じてブレーキ機構２７を制御するためのブレーキ機構制御信号をブレーキ機構２７に、夫々出力する。
【００３０】
回転移動機構２３は、支持部材４３と、モータ３５と、ウォーム４５と、ウォーム歯車４７と、大歯車４９と、内ば歯車５１と、ブレーキ機構２７と、を備える。回転移動機構２３（の支持部材４３）は、内ば歯車５１の回転軸を支軸（固定軸）として回転移動するようになっている。つまり、回転移動機構２３（の支持部材４３）は、内ば歯車５１が回転することによって回転移動し、内ば歯車５１が回転を停止することによって回転移動を停止する。支持部材４３の取付部位４３ａ、４３ｂ、４３ｃには、図１及び図２で夫々示した表示画面部５の底部が、例えばねじ等の締結部材（図示しない）によって取付固定されている。モータ３５には、例えば正／逆回転自在なステッピングモータが採用されており、支持部材４３により固定的に支持されている。モータ３５は、コントローラ（図示しない）の制御下で、上述したように正／逆方向に自在に回転／停止する。
【００３１】
ウォーム４５は、モータ３５の回転軸に対して同軸に取付固定されており、ウォーム歯車４７と噛み合うことにより、モータ３５の回転出力をウォーム歯車４７側に伝達する。ウォーム歯車４７の回転軸には、小歯車（ピニオン）５３が同軸に取付固定されている。小歯車５３は、大歯車４９と噛み合うことにより、ウォーム歯車４７、及びウォーム４５を通じてモータ３５から出力される回転力を、大歯車４９へ伝達する。大歯車４９は、内ば歯車５１の回転軸に対して同軸に取付固定されている小歯車（ピニオン）５５と噛み合うことにより、小歯車（ピニオン）５３、ウォーム歯車４７、及びウォーム４５を介してモータ３５から出力される回転力を、小歯車（ピニオン）５５を介して内ば歯車５１へ伝達する。
【００３２】
内ば歯車５１は、その回転軸を介して（基台１の）円形状の凹部１ａに固定的に取り付けられており、既述のように、外側円環状部材１７の内周側に形成されている歯列と噛み合っている。コントローラ（図示しない）によって、ブレーキ機構２７の抵抗歯車２９が図３で示したのとは異なり、円弧状部材２１の内周に沿って形成されている歯列から離間しているときに、モータ３５が、コントローラ（図示しない）によって回転駆動される。そして、モータ３５から出力される回転力が、既述の態様で内ば歯車５１へ伝達されることで、内ば歯車５１が回転する。
【００３３】
即ち、内ば歯車５１が、上記のように、外側円環状部材１７の内周側に形成されている歯列と噛み合った状態で回転することにより、回転移動機構２３（の支持部材４３）は、内ば歯車５１の回転軸を支軸（固定軸）として、所定角度範囲内において正／逆回転自在に回転移動することになる。
【００３４】
既述のように、図２で示したリモコン１５がユーザ（図示しない）によって操作されていない場合には、コントローラ（図示しない）によって、ブレーキ機構２７の抵抗歯車２９が図３で示したように、円弧状部材２１の内周に沿って形成されている歯列に噛み合うように、ブレーキ機構２７が制御される。この抵抗歯車２９と歯列との噛み合いにより、リモコン１５がユーザ（図示しない）によって操作されていない状態で、ユーザ（図示しない）等による各種スイッチ類１１の操作や、前面入力端子１３に対しての（外付けの）外部記録デバイス（図示しない）等の挿着／抜き取りに起因して、表示画面部５に回転力が生じ、表示画面部５が回転しようとするのが阻止される。
【００３５】
ブレーキ機構２７は、第１のアーム５７と、第２のアーム５９と、抵抗歯車２９と、を備える。第１のアーム５７は、一端側が支持部材４３に取付固定されており、他端部には回動軸６１を介して第２のアーム５９の一端側が回動自在に取り付けられている。そして、第２のアーム５９の他端側には、既述の抵抗歯車２９が固定した状態で軸支されている。ブレーキ機構２７は、既述の内容から明らかなように、コントローラ（図示しない）からのブレーキ機構制御信号により、第２のアーム５９が回動軸６１を介して抵抗歯車２９が円弧状部材２１の内周に沿って形成されている歯列に噛み合う方向、又は該歯列から離間する方向に遥動する。
【００３６】
コントローラ（図示しない）は、ユーザ（図示しない）によってリモコン１５が操作されていない場合には、抵抗歯車２９が上記歯列に噛み合うように、また、ユーザ（図示しない）によってリモコン１５が操作されている場合には、抵抗歯車２９が上記歯列に噛み合わないように、ブレーキ機構２７に対し、夫々ブレーキ機構制御信号を出力する。
【００３７】
図４は、本発明の一実施形態に係る表示画面部５の回転／停止時におけるブレーキ機構２７の制御動作を示すフローチャートである。
【００３８】
図４において、ブレーキ機構２７が作動状態にあるとき、即ち、抵抗歯車２９が円弧状部材２１の内周に沿って形成されている歯列に噛み合った状態にある場合に（ステップＳ７１）、ユーザ（図示しない）がリモコン１５を操作したことを認識すると（ステップＳ７２）、コントローラ（図示しない）は、ブレーキ機構２７に対し、上述した抵抗歯車２９と円弧状部材２１の内周に沿って形成されている歯列との噛み合わせを解除するためのブレーキ機構制御信号を出力する。このブレーキ機構制御信号を受信すると、ブレーキ機構２７は、第２のアーム５９を、回動軸６１を介して図３の反時計方向へ回動させることにより、抵抗歯車２９と上記歯列との噛み合わせを解除させる（ステップＳ７３）。
【００３９】
次に、コントローラ（図示しない）は、抵抗歯車２９と上記歯列との間の噛み合わせが解除されたことを認識すると、モータ３５に対し、モータ制御信号を出力することにより、表示画面部５を回転動作させる（ステップＳ７４）。ユーザ（図示しない）がリモコン１５を操作したことを認識すると（ステップＳ７２）、コントローラ（図示しない）は、ユーザ（図示しない）によるリモコン１５の操作が解除されたかどうかチェックする。このチェックの結果、リモコン１５の操作が解除されたことを認識すると（ステップＳ７５）、コントローラ（図示しない）は、モータ３５に対し、モータ制御信号を出力することにより、表示画面部５の回転動作を停止させる（ステップＳ７６）。そして、再び抵抗歯車２９が円弧状部材２１の内周に沿って形成されている歯列に噛み合った状態になるよう、ブレーキ機構２７に対し、ブレーキ機構制御信号を出力する（ステップＳ７１）。
【００４０】
図５は、本発明の一実施形態に係る表示装置と、従来の表示装置とを比較対照した平面図である。
【００４１】
図５において、図５（ａ）は従来の表示装置を、図５（ｂ）は本発明の一実施形態に係る表示装置を、夫々示している。
【００４２】
従来の表示装置２００では、図５（ａ）の記載内容から明らかなように、スイッチ２０１が、或る程度の大きさの操作力を必要とする場合に、ユーザ（図示しない）が、その大きさの操作力でスイッチ操作を行うと、表示画面部２０３は、その操作力によって太線矢印で示すように、時計方向に回転してしまう。また、ユーザ（図示しない）が、例えば外付けのハードディスクのような外部記録デバイス等（図示しない）を、前面入力端子２０５に対して挿着／抜き取りを行う際に生じる力によって、表示画面部２０３は、太線矢印で示すように、反時計方向に回転してしまう。
【００４３】
これに対して、本発明の一実施形態に係る表示装置１００では、図５（ｂ）の記載内容から明らかなように、ユーザ（図示しない）が、リモコン１５を操作していない場合には、ブレーキ機構２７が自動的に作動して、表示画面部５が外から加わる力によって回転するのを阻止する。そのため、スイッチ１１が、或る程度の大きさの操作力を必要とする場合に、ユーザ（図示しない）が、その大きさの操作力でスイッチ操作を行ったとしても、表示画面部５が、該操作力によって時計方向に回転することはない。
【００４４】
同様に、ブレーキ機構２７が自動的に作動している状態で、ユーザ（図示しない）が、例えば外付けのハードディスクのような外部記録デバイス等（図示しない）を、前面入力端子１３に対して挿着／抜き取りを行う際に生じる力によって、表示画面部５が、太線矢印で示すように、反時計方向に回転することもない。
【００４５】
しかし、ユーザ（図示しない）によってリモコン１５が操作される場合には、ブレーキ機構２７の作動が自動的に解除されるから、リモコン１５からの表示画面部制御信号に従って、表示画面部５が時計方向／反時計方向に回転動作することが可能になる。
【００４６】
以上説明したように、本発明の一実施形態に係る表示装置によれば、スイッチ１１の取付位置や、挿着／抜き取りが可能な外付けの部品類（例えば、（外付けの）外部記録デバイス（図示しない）等の取付位置が大きな制約を受けることが無く、且つ、回転力、及び回転を制止させるための制動力を大きく設定することができるようになる。
【００４７】
図６は、本発明の他の実施形態に係る表示装置が備える回転力伝達機構の詳細な構成を示す基台の平面図である。
【００４８】
図６に示す他の実施形態に係る表示装置は、回転移動機構の回転移動を制動するためのブレーキ機構に、図３で示した抵抗歯車２９付きのブレーキ機構２７に代えて、ディスクブレーキ８１を採用した点で、図３で示した一実施形態に係る表示装置と構成が相違する。その他の構成については、図３で示したものと同一であるので、図６において、図３で示したものと同一物には、同一符号を付してそれらの詳細な説明を省略する。なお、図６において、符号８３は、ディスクブレーキ８１を、上下方向（即ち、図６の表面方向と図６の裏面方向）に遥動（回動）自在に保持するアームである。このアーム８３の駆動は、図３で示した本発明の一実施形態におけると同様に、制御基板２５上に搭載されているコントローラ（図示しない）からのディスクブレーキ制御信号によって制御される。
【００４９】
図７は、図６で示したディスクブレーキ８１の構成を示す図６のＯＡ−ＯＡ線で切断したときの断面図である。
【００５０】
ディスクブレーキ８１は、図７に示すように、断面が略コ字形状を呈するディスクブレーキ本体部８５と、ディスクブレーキ本体部８５と一体的に成形されたアーム８３（図５で示した）との接続部８７とから構成される。ディスクブレーキ本体部８５の直下には、ディスクブレーキ本体部８５の底面と圧接することによって、アーム８３（図５で示した）を介したディスクブレーキ８１の下動を規制するためのストッパ部材８９が配置されている。ディスクブレーキ本体部８５が、アーム８３（図６で示した）を介して下動され、ディスクブレーキ本体部８５の底面が、ストッパ部材８９と圧接されると、図７に示した、ディスクブレーキ本体部８５と大歯車４９の底部との圧接が解除されて両者が離間状態になる。それによってディスクブレーキ８１が作動状態から解除状態に移行する。
【００５１】
ディスクブレーキ本体部８５の底面が、ストッパ部材８９と圧接された状態で、ディスクブレーキ本体部８５がアーム８３を介して上動されると、ディスクブレーキ本体部８５の底面がストッパ部材８９から離間する。これにより、図７に示した、ディスクブレーキ本体部８５と大歯車４９の底部とが圧接して、ディスクブレーキ８１が解除状態から作動状態に移行する。
【００５２】
以上説明したように、本発明の他の実施形態に係る表示装置によっても、上述した本発明の一実施形態に係る表示装置と同様に、表示装置を操作するためのスイッチの取付位置や、挿着／抜き取りが可能な外付けの部品類（例えば、（外付けの）外部記録デバイス（図示しない）等の取付位置が大きな制約を受けることが無く、且つ、回転力、及び回転を制止させるための制動力を大きく設定することができるようになる。
【００５３】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００５４】
【図１】本発明の一実施形態に係る表示装置の全体構成を示す斜視図。
【図２】図１に記載の表示装置と、該表示装置を遠隔操作するためのリモコンとを示す説明図。
【図３】本発明の一実施形態に係る表示装置が備える回転力伝達機構の詳細な構成を示す基台の平面図。
【図４】本発明の一実施形態に係る表示画面部の回転／停止時におけるブレーキ機構の制御動作を示すフローチャート。
【図５】本発明の一実施形態に係る表示装置と、従来の表示装置とを比較対照した平面図。
【図６】本発明の他の実施形態に係る表示装置が備える回転力伝達機構の詳細な構成を示す基台の平面図。
【図７】図６で示したディスクブレーキの構成を示す図６のＯＡ−ＯＡ線で切断したときの断面図。
【符号の説明】
【００５５】
１  基台
３  回転力伝達機構
５  表示画面部
７  外枠
９  表示画面
１１  （外付けの）各種スイッチ類
１３  （外付けの）外部記録デバイス
１５  リモコン（リモートコントローラ）
１７  外側円環状部材
１９  内側円環状部材
２１  円弧状部材
２３  回転移動機構
２５  制御基板
２７  ブレーキ機構
２９  抵抗歯車
３１  接続コネクタ
３３  （平型）ケーブル
３５  モータ
３７、３９  モータ制御信号線
４１  ブレーキ機構制御信号線
４３  支持部材
４５  ウォーム
４７  ウォーム歯車
４９  大歯車
５１  内ば歯車
【図１】
2006337661.tif 000003
【図２】
2006337661.tif 000004
【図３】
2006337661.tif 000005
【図４】
2006337661.tif 000006
【図５】
2006337661.tif 000007
【図６】
2006337661.tif 000008
【図７】
2006337661.tif 000009